(57)【要約】【課題】  重厚感のある両開きドアの提供。【解決手段】  一方のドア１と他方のドア２を備え、一方のドア１は、四周に設けたフレーム３と、フレーム３の室外側と室内側に設けた鋼板４ａ，４ｂとでドア本体５が構成され、戸先部にエッジ材６を有し、表面に複数の化粧材７，７，…が上下方向に取付けてあり、エッジ材６は、一方のドア１と他方のドア２との隙間を隠す煙返し８を有し、化粧材７は、煙返し８を室外側から覆う覆い部９を有し、他方のドア２は、四周に設けたフレーム３と、フレーム３の室外側と室内側に設けた鋼板４ａ，４ｂとでドア本体５が構成され、戸先部に煙返し８と対向する受け材１０を有し、表面に複数の化粧材７，７，…が上下方向に取付けてある。【選択図】      図１
2020158973.tif 000002
【特許請求の範囲】
【請求項１】
一方のドアと他方のドアを備え、一方のドアは、四周に設けたフレームと、フレームの室外側と室内側に設けた鋼板とでドア本体が構成され、戸先部にエッジ材を有し、表面に複数の化粧材が上下方向に取付けてあり、エッジ材は、一方のドアと他方のドアとの隙間を隠す煙返しを有し、化粧材は、煙返しを室外側から覆う覆い部を有し、他方のドアは、四周に設けたフレームと、フレームの室外側と室内側に設けた鋼板とでドア本体が構成され、戸先部に煙返しと対向する受け材を有し、表面に複数の化粧材が上下方向に取付けてあることを特徴とする両開きドア。
【発明の詳細な説明】
【技術分野】
【０００１】
本発明は、一方のドアと他方のドアを備える両開き式のドアに関する。
【背景技術】
【０００２】
従来の玄関ドアとして、四周に設けたフレームの室外側と室内側に鋼板を貼った構造のドアが知られているが、このようなドアは重厚感がないため、重厚感のあるものが求められた。
【発明の概要】
【発明が解決しようとする課題】
【０００３】
本発明は以上に述べた実情に鑑み、重厚感のある両開きドアの提供を目的とする。
【課題を解決するための手段】
【０００４】
上記の課題を達成するために請求項１記載の発明による両開きドアは、一方のドアと他方のドアを備え、一方のドアは、四周に設けたフレームと、フレームの室外側と室内側に設けた鋼板とでドア本体が構成され、戸先部にエッジ材を有し、表面に複数の化粧材が上下方向に取付けてあり、エッジ材は、一方のドアと他方のドアとの隙間を隠す煙返しを有し、化粧材は、煙返しを室外側から覆う覆い部を有し、他方のドアは、四周に設けたフレームと、フレームの室外側と室内側に設けた鋼板とでドア本体が構成され、戸先部に煙返しと対向する受け材を有し、表面に複数の化粧材が上下方向に取付けてあることを特徴とする。
【発明の効果】
【０００５】
請求項１記載の発明による両開きドアは、一方のドアと他方のドアを備え、一方のドアは、四周に設けたフレームと、フレームの室外側と室内側に設けた鋼板とでドア本体が構成され、戸先部にエッジ材を有し、表面に複数の化粧材が上下方向に取付けてあり、エッジ材は、一方のドアと他方のドアとの隙間を隠す煙返しを有し、化粧材は、煙返しを室外側から覆う覆い部を有し、他方のドアは、四周に設けたフレームと、フレームの室外側と室内側に設けた鋼板とでドア本体が構成され、戸先部に煙返しと対向する受け材を有し、表面に複数の化粧材が上下方向に取付けてあるので、化粧材により重厚感が得られる上、煙返しが化粧材の覆い部に隠れて見えないので、意匠性が向上する。
【図面の簡単な説明】
【０００６】
【図１】親ドアと子ドアとの突合せ部を拡大して示す横断面図である。
【図２】親ドアの吊元側を拡大して示す横断面図である。
【図３】本発明の両開きドアの一実施形態を示す横断面図である。
【図４】同両開きドアの縦断面図である。
【図５】同両開きドアの室外側正面図である。
【図６】（ａ）は錠の部分を拡大して示す室外側正面図であり、（ｂ）はＡ−Ａ断面図である。
【図７】（ａ）は錠の部分の他の実施形態を示す室外側正面図であり、（ｂ）はＢ−Ｂ断面図である。
【図８】丁番隠しカバーの取付け手順を示す横断面図である。
【図９】丁番隠しカバーをネジで固定するときの状態を示す横断面図である。
【図１０】本発明の両開きドアの他の実施形態を示す親ドア吊元側の拡大横断面図である。
【発明を実施するための形態】
【０００７】
以下、本発明の実施の形態を図面に基づいて説明する。図１〜５は、本発明に係る両開きドアの一実施形態を示している。本両開きドアは、玄関用の親子ドアに適用したものであり、図３〜５に示すように、躯体開口部に取付けられる枠１１と、一方の縦枠１２ａに丁番１３で室外側に開くように取付けた親ドア（一方のドア）１と、他方の縦枠１２ｂに丁番１３で室外側に開くように取付けた子ドア（他方のドア）２を備える。親ドア１は、戸先側にハンドル１４と、ハンドル１４と連動したラッチ錠と、ハンドル１４の上下２か所に設けたシリンダー錠１５を備え、ラッチ錠とシリンダー錠１５を子ドア２の戸先部に設けた錠受けに係合することで施錠される。子ドア２は、フランス落しにより施錠される。
【０００８】
枠１１は、図３，４に示すように、上枠１６と下枠１７と左右の縦枠１２ａ，１２ｂを枠組みして構成してある。上枠１６は、躯体に固定される上枠本体１８と、上枠本体１８の室外側に係合取付けした上枠化粧カバー１９とで構成してある。縦枠１２ａ，１２ｂは、図２に示すように、躯体に固定される縦枠本体２０と、縦枠本体２０の室外側に係合取付けした縦枠化粧カバー２１とで構成してある。
【０００９】
親ドア１は、図１〜４に示すように、樹脂製のフレーム３を四周枠組みし、その枠内に発泡スチロール板等の断熱材２２を配置し、フレーム３の室外側と室外側に鋼板４ａ，４ｂを貼り付けてドア本体５が構成されている。吊元側及び戸先側の縦のフレーム３は、図１，２に示すように、内周側に金属製の補強材４４を設けて補強してある。
親ドア１の戸先側の端部には、図１に示すように、ドア本体５に固定してアルミ形材よりなる戸先側エッジ材６が取付けてある。戸先側エッジ材６は、室外側に煙返し８を有し、煙返し８は室外側に突出する見込面部８ａと、見込面部８ａの先端より親ドア１の戸先側に突出する見付面部８ｂを有しており、煙返し８により親ドア１と小ドア２間の隙間を室外側から隠している。煙返し８の室内側にはタイト材２３が設けてあり、通常時はタイト材２３の先端が後述する子ドア２の受け材１０に０．５ｍｍの隙間をあけて近接しており、風や雨等、圧力がかかった（非通常時）時には、タイト材２３の先端が受け材１０に当接する。通常時にタイト材２３の先端と受け材１０との間に僅かな隙間を設けているのは、通常時においても室内側に設けた他の気密材３９や気密材４１が当接しているので、気密材２３まで当接させてしまうと扉の開閉が重くなるからである。このようにタイト材２３を設けることで、扉の開閉が重くなるのを防ぎつつ、塵や雨風の侵入を防止する効果がある。
親ドア１の吊元側の端部には、図２に示すように、ドア本体５に固定してアルミ形材よりなる吊元側エッジ材２４が設けてある。
【００１０】
親ドア１の室外側の表面には、図３〜５に示すように、複数の化粧材７，７，…が上下方向に取付けてある。化粧材７は、アルミ形材で形成され、図４に示すように、親ドア１の高さ方向の全長にわたって設けてあり、上端部と下端部に樹脂製のキャップ２５を取付けてある。化粧材７は、図１に示すように、室外側の鋼板４ａに固定した係止具２６を化粧材７の内側面に形成した溝２７内に係止すると共に、鋼板４ａに両面テープで接着して取付けてある。左右に隣接する化粧材７同士の間には、５ｍｍの隙間２８が設けてある。
親ドア１の最も戸先側に位置する化粧材７は、図１に示すように、戸先側エッジ材６の煙返し８を室外側から覆う覆い部９を一体に有している。覆い部９は、化粧材７の表面と連続してフラットに形成してある。
親ドア１の最も吊元側に位置する化粧材７には、図２に示すように、化粧材７と別体で形成した丁番隠しカバー２９が外周側からネジ３０で固定して取付けてある。丁番隠しカバー２９は、図４，５に示すように、親ドア１の高さ方向の全長にわたって設けてあり、丁番１３が室外側から見えないように隠している。丁番隠しカバー２９は、図２に示すように、化粧材７にネジで固定される見込み片部３１と、丁番１３を隠す見付片部３２とを有し、見付片部３２は化粧材７の表面と連続するように設けてある。
【００１１】
ハンドル１４は、図３に示すように、化粧材７の表面と室内側の鋼板４ｂに当接させ、ネジ３３で室内外から挟み込むように取付けてある。
また、図６に示すように、最も戸先側に位置する化粧材７にはシリンダー錠１５が覗く孔３４が設けてあり、シリンダー錠１５は鋼板４ａに当接して化粧材７の表面より奥まった形で設けてある。これにより、シリンダー錠１５が親ドア１の表面に飛び出さず、すっきりした外観になる。また、シリンダー錠１５は、化粧材７が付かない通常のドア用のものをそのまま用いることができる。化粧材７に設けた孔３４の内周には、樹脂又はゴムで形成した筒状のカバー３５が取付けてあり、これにより孔３４から雨水が浸入しないようにしてある。
図７は、シリンダー錠１５の代わりに電気錠３６を取付けた場合を示している。この場合も、化粧材７に電気錠３６が覗く孔３４を設け、孔３４の内周に筒状のカバー３５が取付けてあり、電気錠３６は鋼板４ａに当接して取付けてある。電気錠３６の表面は、化粧材７の表面より室外側に出っ張るが、化粧材７の表面に取付ける場合より出っ張り量を小さくできる。
【００１２】
子ドア２は、図１，３，４に示すように、親ドア１と同様に、樹脂製のフレーム３を四周枠組みし、その枠内に発泡スチロール板等の断熱材２２を配置し、フレーム３の室外側と室外側に鋼板４ａ，４ｂを貼り付けてドア本体５が構成され、室外側の表面に複数の化粧材７，７，…が上下方向に取付けてある。
図１に示すように、子ドア２の戸先側の端部には、ドア本体５に固定してアルミ形材よりなる受け材１０が取付けてある。受け材１０は、室外側に煙返し８に対向する突部３７を有し、突部３７の室外側に煙返し８に取付けたタイト材２３が当接又は近接しており、突部３７の先端は子ドア２の表面の化粧材７の側面に当接している。受け材１０の室内側にはタイト材ホルダー３８が設けてあり、タイト材ホルダー３８に保持して親ドア１の見込面に当接するタイト材３９が設けてある。
子ドア２の戸先側端部の室内側には、親ドア１と小ドア２間の隙間を室内側から隠す煙返し４０が取付けてあり、煙返し４０にはタイト材ホルダー４５が設けてあり、タイト材ホルダー４５に保持して親ドア１の室内側面の戸先側縁部に当接するタイト材４１が設けてある。
子ドア２の吊元側の化粧材７には、図３に示すように、親ドア１と同様に丁番隠しカバー２９が設けてある。
【００１３】
本両開きドアは、図１に示すように、親ドア１の化粧材７の表面と覆い部９と子ドア２の化粧材７の表面とが、フラットな同一面上にある。覆い部９と子ドア２の化粧材７との間の隙間４２は、化粧材７同士の隙間２８とほぼ同じ寸法になっている。したがって、室外側の表面に煙返しの出っ張りが無く、親ドア１と子ドア２の表面がフラットで連続しており、親ドア１と小ドア２の境界が分かりにくくなっている。
【００１４】
次に、本両開きドアの施工手順を説明する。まず、枠１１を組立て、組立てた枠１１を開口部に取付ける。次に、親ドア１及び子ドア２を、丁番隠しカバー２９を取付けない状態で、枠１１内に吊り込む。このとき、丁番１３の位置を室外側及び室内側から視認できるため、吊りこみ作業が容易に行える。その後、親ドア１及び子ドア２の吊元側の化粧材７に丁番隠しカバー２９を取付ける。丁番隠しカバー２９の取付けは、親ドア１及び子ドア２を閉じた状態にして、図８（ａ）に示すように、丁番隠しカバー２９の見込片部３１の先端を吊元側エッジ材２４と化粧材７との隙間に差し込み、図８（ｂ）に示すように、内周側に回転させる。すると丁番隠しカバー２９は、図８（ｃ）に示すように、吊元側エッジ材２４と化粧材７の上下端のキャップ２５とに引っ掛かった状態で位置決めして保持される。その後、図９に示すように、親ドア１及び子ドア２を室外側に１２５°開いた状態とし、室内側から工具４３を使用して丁番隠しカバー２９を化粧材７にネジ３０で固定する。その後、親ドア１及び子ドア２を閉じて、縦枠化粧カバー２１、上枠化粧カバー１９を取付ける。
【００１５】
図１０は、本発明の両開きドアの他の実施形態を示している。本実施形態は、吊元側の化粧材７に丁番隠しカバー２９を一体に設けてある。本実施形態によれば、親ドア１及び子ドア２を枠１１に吊り込む際に室外側から丁番１３の位置を視認できないため、吊り込み時の作業性は別体にした場合より劣るが、化粧材７と丁番隠しカバー２９との境界の線が無くなるので、外観の意匠性が一段と向上する利点がある。なお、ドア１，２の吊り込み時に室内側からは丁番１３の位置を確認できるので、本実施形態のように丁番隠しカバー２９が化粧材７と一体に設けてあっても、ドア１，２の吊り込み作業を問題なく行うことができる。
【００１６】
以上に述べたように本両開きドアは、一方のドア（親ドア）１と他方のドア（子ドア）２を備え、一方のドア１は、四周に設けたフレーム３と、フレーム３の室外側と室内側に設けた鋼板４ａ，４ｂとでドア本体５が構成され、戸先部にエッジ材６を有し、表面に複数の化粧材７，７，…が上下方向に取付けてあり、エッジ材６は、一方のドア１と他方のドア２との隙間を隠す煙返し８を有し、化粧材７は、煙返し８を室外側から覆う覆い部９を有し、他方のドア２は、四周に設けたフレーム３と、フレーム３の室外側と室内側に設けた鋼板４ａ，４ｂとでドア本体５が構成され、戸先部に煙返し８と対向する受け材１０を有し、表面に複数の化粧材７，７，…が上下方向に取付けてあるので、化粧材７，７，…により重厚感が得られる上、煙返し８が化粧材７の覆い部９に隠れて見えないので、意匠性が向上する。
さらに本両開きドアは、親ドア１の化粧材７の表面と覆い部９と子ドア２の化粧材７の表面とが、フラットな同一面上にあることで、一方のドア１と他方のドア２の境界部分に出っ張りのない一体的な意匠にでき、意匠性が一段と向上する。
本両開きドアは、化粧材７，７，…を上下方向に取付けた縦基調の意匠のため、縦長のハンドル１４とマッチし、すっきりした外観になる。
【００１７】
また本建具は、ドア１，２と化粧材７，７，…と丁番１３と丁番隠しカバー２９を備え、化粧材７はドア１，２の表面に上下方向に取付けてあり、丁番隠しカバー２９は、化粧材７に外周側からネジ止めしてあり、丁番１３を室外側から隠しているので、丁番１３が室外側から見えず意匠性が良い上、丁番隠しカバー２９を取外すことでドア１，２の吊り込み作業が容易に行える。
さらに、丁番隠しカバー２９を化粧材７の表面と連続するように設けたので、丁番隠しカバー２９と化粧材７との境界が分かりにくく、丁番隠しカバー２９が目立たないので、意匠性が良い。
【００１８】
本発明は以上に述べた実施形態に限定されない。化粧材の材質、形状は、適宜変更することができる。エッジ材及び受け材の材質、形状についても、適宜変更することができる。丁番隠しカバーは、省略することもできる。一方のドアと他方のドアは、幅が同じ大きさであってもよい。
【符号の説明】
【００１９】
１  親ドア（一方のドア）
２  子ドア（他方のドア）
３  フレーム
４ａ，４ｂ  鋼板
５  ドア本体
６  戸先側エッジ材（エッジ材）
７  化粧材
８  煙返し
９  覆い部
１０  受け材
【図１】
2020158973.tif 000003
【図２】
2020158973.tif 000004
【図３】
2020158973.tif 000005
【図４】
2020158973.tif 000006
【図５】
2020158973.tif 000007
【図６】
2020158973.tif 000008
【図７】
2020158973.tif 000009
【図８】
2020158973.tif 000010
【図９】
2020158973.tif 000011
【図１０】
2020158973.tif 000012